(57)【要約】【課題】本発明は、記憶容量の増大化を図るとともに、層構成を簡易化してコストを低くすることを目的とする。【解決手段】フォーカス用レンズ（対物レンズ３）を光軸方向に動かすことで、フォーカス基準決定用のレーザ光（サーボ光）の焦点を、記録光の焦点とともに移動させつつ、フォーカス基準面（反射面７２ａ）に合わせる。また、記録位置選択工程において、１つの記録層７１中の深さ方向において設定した複数の記録位置のうちの１つを選択する。そして、フォーカス基準決定用のレーザ光の焦点位置に対する記録光の焦点位置と、前記記録位置選択工程で選択した記録位置とを比較して、記録光の焦点位置を前記記録位置に調整する。【選択図】図１
2008226342.tif 000002
【特許請求の範囲】
【請求項１】
１つの記録層および１つのフォーカス基準面を備えた光記録媒体に情報を記録する光情報記録方法であって、
前記記録層に出射する記録用のレーザ光と前記フォーカス基準面に出射するフォーカス基準決定用のレーザ光がともに通過するフォーカス用レンズを光軸方向に動かすことで、前記フォーカス基準決定用のレーザ光の焦点を、前記記録用のレーザ光の焦点とともに移動させつつ、前記フォーカス基準面または前記フォーカス基準面から所定距離離れた所定位置に合わせるフォーカス光焦点調整工程と、
前記１つの記録層中の深さ方向において設定した前記フォーカス基準面から所定距離離れた複数の記録位置のうちの１つを選択する記録位置選択工程と、
前記フォーカス基準決定用のレーザ光の焦点位置に対する前記記録用のレーザ光の焦点位置と、前記記録位置選択工程で選択した記録位置とを比較して、前記記録用のレーザ光の焦点位置を前記記録位置選択工程で選択した記録位置に調整する記録光焦点調整工程とを備えたことを特徴とする光情報記録方法。
【請求項２】
１つの記録層および１つのフォーカス基準面を備えた光記録媒体に情報を記録する光情報記録装置であって、
前記フォーカス基準面にフォーカス基準決定用のレーザ光を出射するフォーカス用光源と、
前記記録層に記録用のレーザ光を出射する記録用光源と、
前記フォーカス基準面に出射して反射されるフォーカス用のレーザ光からフォーカス情報を読み取るフォーカス情報読取装置と、
前記フォーカス用のレーザ光と前記記録用のレーザ光とがともに通過するフォーカス用レンズと、
前記フォーカス情報読取装置で読み取ったフォーカス情報に基づいて前記フォーカス用レンズを光軸方向に移動させることで、前記フォーカス用のレーザ光の焦点を前記フォーカス基準面または前記フォーカス基準面から所定距離離れた所定位置に合わせるフォーカス光焦点調整装置と、
前記記録用のレーザ光のみが通過する記録光用レンズと、
前記１つの記録層中の深さ方向において設定した前記フォーカス基準面から所定距離離れた複数の記録位置のうちの１つを選択する記録位置選択手段と、
前記フォーカス用のレーザ光の焦点位置に対する前記記録用のレーザ光の焦点位置と、前記記録位置選択手段で選択した記録位置とを比較して、前記記録用のレーザ光の焦点位置を前記記録位置選択手段で選択した記録位置に調整するために、前記記録光用レンズまたは前記記録用光源を移動させる記録光焦点調整装置とを備えたことを特徴とする光情報記録装置。
【請求項３】
前記フォーカス用光源と前記記録用光源を１つの光源で構成し、
複数のハーフミラーを用いてフォーカス用のレーザ光の光路と記録用のレーザ光の光路を、前記光源と前記フォーカス用レンズとの間で一度分離させた後合流させ、
分離させた前記記録用のレーザ光の光路に、前記記録光用レンズを設けたことを特徴とする請求項２に記載の光情報記録装置。
【請求項４】
請求項１に記載の光情報記録方法を用いて製造される光記録媒体であって、
前記１つの記録層中に、深さ方向において複数の情報が記録されていることを特徴とする光記録媒体。
【発明の詳細な説明】
【技術分野】
【０００１】
本発明は、光情報記録方法および光情報記録装置ならびに光記録媒体に関する。
【背景技術】
【０００２】
従来、ＣＤやＤＶＤなどの光記録媒体として、記憶容量の増大化のために、１つのサーボ層上に複数の記録層を備えたものが知られている（特許文献１参照）。この技術では、サーボ層に対してサーボ用のレーザ光（サーボ光）を出射して、その反射したサーボ光を読み取ることで、光記録媒体の平面方向の位置決めを行っている。また、複数の記録層のうち所定の記録層に記録用のレーザ光（記録光）を出射し、その記録層から反射される記録光を読み取ることで、深さ方向の位置を規定して、所望の記録層に記録を行っている。
【０００３】
【特許文献１】特開２００７−４８９７号公報
【発明の開示】
【発明が解決しようとする課題】
【０００４】
しかしながら、前記した技術では、複数の記録層を形成するので層構成が複雑となり、コストが高くなるといった問題があった。また、複数の記録層の各界面でレーザ光が吸収されるため、最下層の記録層を再生する際の再生出力が弱くなるといった問題もあった。
【０００５】
そこで、本発明は、記憶容量の増大化を図るとともに、層構成を簡易化することでコストの低下と出力の向上を図ることができる光情報記録方法および光情報記録装置ならびに光記録媒体に関する。
【課題を解決するための手段】
【０００６】
前記課題を解決する本発明は、１つの記録層および１つのフォーカス基準面を備えた光記録媒体に情報を記録する光情報記録方法であって、前記記録層に出射する記録用のレーザ光と前記フォーカス基準面に出射するフォーカス基準決定用のレーザ光がともに通過するフォーカス用レンズを光軸方向に動かすことで、前記フォーカス基準決定用のレーザ光の焦点を、前記記録用のレーザ光の焦点とともに移動させつつ、前記フォーカス基準面または前記フォーカス基準面から所定距離離れた所定位置に合わせるフォーカス光焦点調整工程と、前記１つの記録層中の深さ方向において設定した前記フォーカス基準面から所定距離離れた複数の記録位置のうちの１つを選択する記録位置選択工程と、前記フォーカス基準決定用のレーザ光の焦点位置に対する前記記録用のレーザ光の焦点位置と、前記記録位置選択工程で選択した記録位置とを比較して、前記記録用のレーザ光の焦点位置を前記記録位置選択工程で選択した記録位置に調整する記録光焦点調整工程とを備えたことを特徴とする。
【０００７】
本発明によれば、まず、フォーカス光焦点調整工程においてフォーカス用レンズを光軸方向に動かすことで、フォーカス基準決定用のレーザ光の焦点を例えばフォーカス基準面に合わせる。このとき、記録用のレーザ光の焦点も一緒に動くため、記録用のレーザ光の焦点とフォーカス基準決定用のレーザ光の焦点との距離は変化することがない。その後、記録位置選択工程において、複数の記録位置のうちの１つを選択する。
【０００８】
続いて、記録光焦点調整工程において、記録位置選択工程で選択した記録位置と、フォーカス基準決定用のレーザ光の焦点位置に対する記録用のレーザ光の焦点位置とを比較して、記録用のレーザ光の焦点位置を記録位置選択工程で選択した記録位置に移動させる。そして、前記したような記録位置選択工程と記録光焦点調整工程を繰り返すことで、１つの記録層中の深さ方向において、複数の情報を記録することが可能となる。
【０００９】
なお、本発明においては、前記した各工程が行われればよく、その順序は問わない。
【００１０】
また、本発明は、１つの記録層および１つのフォーカス基準面を備えた光記録媒体に情報を記録する光情報記録装置であって、前記フォーカス基準面にフォーカス基準決定用のレーザ光を出射するフォーカス用光源と、前記記録層に記録用のレーザ光を出射する記録用光源と、前記フォーカス基準面に出射して反射されるフォーカス用のレーザ光からフォーカス情報を読み取るフォーカス情報読取装置と、前記フォーカス用のレーザ光と前記記録用のレーザ光とがともに通過するフォーカス用レンズと、前記フォーカス情報読取装置で読み取ったフォーカス情報に基づいて前記フォーカス用レンズを光軸方向に移動させることで、前記フォーカス用のレーザ光の焦点を前記フォーカス基準面または前記フォーカス基準面から所定距離離れた所定位置に合わせるフォーカス光焦点調整装置と、前記記録用のレーザ光のみが通過する記録光用レンズと、前記１つの記録層中の深さ方向において設定した前記フォーカス基準面から所定距離離れた複数の記録位置のうちの１つを選択する記録位置選択手段と、前記フォーカス用のレーザ光の焦点位置に対する前記記録用のレーザ光の焦点位置と、前記記録位置選択手段で選択した記録位置とを比較して、前記記録用のレーザ光の焦点位置を前記記録位置選択手段で選択した記録位置に調整するために、前記記録光用レンズまたは前記記録用光源を移動させる記録光焦点調整装置とを備えたことを特徴とする。
【００１１】
この装置によれば、まず、フォーカス光焦点調整装置によってフォーカス用レンズを光軸方向に動かすことで、フォーカス基準決定用のレーザ光の焦点を例えばフォーカス基準面に合わせる。このとき、記録用のレーザ光の焦点も一緒に動くため、記録用のレーザ光の焦点とフォーカス基準決定用のレーザ光の焦点との距離は変化することがない。その後、記録位置選択手段によって、複数の記録位置のうちの１つを選択する。
【００１２】
続いて、記録光焦点調整装置において、記録位置選択手段で選択した記録位置と、フォーカス基準決定用のレーザ光の焦点位置に対する記録用のレーザ光の焦点位置とを比較して、記録用のレーザ光の焦点位置を記録位置選択工程で選択した記録位置に調整するために、例えば記録光用レンズを移動させる。そして、前記したような記録位置の選択と、記録位置への記録用のレーザ光の焦点位置の移動とを繰り返し行うことで、１つの記録層中の深さ方向において、複数の情報を記録することが可能となる。
【００１３】
また、前記した光情報記録装置においては、前記フォーカス用光源と前記記録用光源を１つの光源で構成し、複数のハーフミラーを用いてフォーカス用のレーザ光の光路と記録用のレーザ光の光路を、前記光源と前記フォーカス用レンズとの間で一度分離させた後合流させ、分離させた前記記録用のレーザ光の光路に、前記記録光用レンズを設けてもよい。
【００１４】
これによれば、光源が１つで済むので、コストをより低減することができる。
【００１５】
なお、本発明は、前記した光情報記録方法を用いて製造される光記録媒体にも及ぶ。すなわち、本発明は、１つの記録層中に、深さ方向において複数の情報が記録されている光記録媒体にも及ぶ。
【発明の効果】
【００１６】
本発明によれば、フォーカス基準決定用のレーザ光の焦点位置に対して記録用のレーザ光の焦点位置を適宜調整するだけで、１つの記録層中の深さ方向において複数の情報を記録することが可能となるので、記憶容量の増大化を図ることができるとともに、層構成が簡易化されてコストの低下と出力の向上を図ることができる。
【発明を実施するための最良の形態】
【００１７】
次に、本発明の一実施形態について、適宜図面を参照しながら詳細に説明する。参照する図面において、図１は本発明の一実施形態に係る光情報記録装置を示す構成図であり、図２は制御装置の構成を示す構成図（ａ）と、記録層中の深さ方向における各記録位置を示す説明図（ｂ）と、記憶装置に記憶されたテーブルを示す図（ｃ）である。
【００１８】
図１に示すように、光情報記録装置１は、光記録媒体７０中でレーザ光を集光させることで情報を１ビットずつ記録する装置である。
【００１９】
ここで、光記録媒体７０は、光学的に一様の材料からなる記録層７１と、光を反射する反射層７２とを主に備えて構成されている。そして、この反射層７２の表面には、トラッキング制御用の所定のピットが形成されており、これにより、サーボ層としての役目も果たしている。なお、本実施形態においては、この反射層７２の記録層７１側の反射面７２ａが、フォーカス基準面に相当する。
【００２０】
光情報記録装置１は、サーボ用光源２、対物レンズ３、対物レンズ移動装置４、記録用光源５、記録光用レンズ６、記録光用レンズ移動装置７、サーボ情報読取装置８および制御装置９を主に備えて構成されている。
【００２１】
サーボ用光源２は、所定の波長のレーザを、サーボ用のレーザ光（以下、「サーボ光」という）として出射するものである。サーボ用光源２と光記録媒体７０との間には、サーボ用光源２側から順に、コリメートレンズ１０、第１ハーフミラー１１および対物レンズ３が配置されている。そして、サーボ用光源２から出射されたサーボ光は、コリメートレンズ１０で平行光に変換された後、第１ハーフミラー１１を通って対物レンズ３に出射されるようになっている。ここで、サーボ光は、フォーカス基準決定用のレーザ光に相当し、サーボ用光源２は、フォーカス用光源に相当する。
【００２２】
対物レンズ３は、第１ハーフミラー１１側から出射されてくるレーザ光を光記録媒体７０中で集束させるレンズである。すなわち、この対物レンズ３は、第１ハーフミラー１１を通ってくるサーボ光と、第１ハーフミラー１１で反射される後述の記録光とを、それぞれ光記録媒体７０中で集束させている。ここで、本実施形態における対物レンズ３は、フォーカス用のレーザ光と記録用のレーザ光とがともに通過するフォーカス用レンズに相当する。
【００２３】
対物レンズ移動装置４は、対物レンズ３を光軸方向に移動させる装置であり、適宜制御装置９によって制御されている。ここで、本実施形態における対物レンズ移動装置４および制御装置９は、フォーカス光焦点調整装置に相当する。
【００２４】
記録用光源５は、所定の波長のレーザを、記録用のレーザ光（以下、「記録光」という）として、第１ハーフミラー１１に向けて出射するものである。記録用光源５と第１ハーフミラー１１との間には、記録用光源５側から順に、コリメートレンズ１２、記録光用レンズ６、第２ハーフミラー１３が配置されている。そして、記録用光源５から出射された記録光は、コリメートレンズ１２で平行光に変換された後、記録光用レンズ６および第２ハーフミラー１３を通って第１ハーフミラー１１に出射されるようになっている。さらに、第１ハーフミラー１１に到達した記録光は、第１ハーフミラー１１で反射されることで、対物レンズ３を通って光記録媒体７０の記録層７１で集束するようになっている。
【００２５】
記録光用レンズ６は、レーザ光を絞るレンズであり、記録光の光路上におけるコリメートレンズ１２と第２ハーフミラー１３との間に配置されることで、記録光のみが通過するようになっている。
【００２６】
記録光用レンズ移動装置７は、記録光用レンズ６を光軸方向に移動させる装置であり、適宜制御装置９によって制御されている。ここで、本実施形態における記録光用レンズ移動装置７および制御装置９は、記録光焦点調整装置に相当する。
【００２７】
サーボ情報読取装置８は、光記録媒体７０の反射面７２ａから反射されてくるサーボ光からトラッキング情報およびフォーカス情報を読み取る装置である。具体的に、サーボ情報読取装置８は、公知の四分割フォトダイオードを利用することにより、サーボ光からトラッキング情報（光記録媒体７０の平面方向の位置決め用の情報）を取得している。また、サーボ情報読取装置８は、公知のシリンドリカルレンズ１４を介してサーボ光を受光することにより、サーボ光のスポット形状の変化を四分割フォトダイオードで識別して、フォーカス情報（光記録媒体７０の厚み方向の位置決め用の情報）を取得している。そして、サーボ情報読取装置８は、取得したトラッキング情報およびフォーカス情報を制御装置９に出力している。なお、シリンドリカルレンズ１４と第２ハーフミラー１３との間には、第３ハーフミラー１５が配置されており、これにより、第２ハーフミラー１３で反射されたサーボ光が、第３ハーフミラー１５で反射された後、シリンドリカルレンズ１４を通ってサーボ情報読取装置８に出射されるようになっている。
【００２８】
また、第３ハーフミラー１５のうち第２ハーフミラー１３からレーザ光を受光する側とは反対側には、レンズ１６とデータ読取装置１７とが設けられている。これにより、データ再生時において、光記録媒体７０から反射されてくる再生光が、第１ハーフミラー１１および第２ハーフミラー１３で反射された後、第３ハーフミラー１５およびレンズ１６を通過してデータ読取装置１７で読み取られることとなる。なお、データ再生時には、図１における記録用光源５の位置から読出用の光（読出光）を出射すると、その読出光が第１ハーフミラー１１で反射されて光記録媒体７０に入射した後、記録層７１中に記録された情報（点）で反射されることで、その反射された光が再生光となってデータ読取装置１７へ出射される。
【００２９】
制御装置９は、サーボ情報読取装置８から出力されてくるフォーカス情報に基づいて対物レンズ移動装置４を制御することでサーボ光の焦点を反射面７２ａ上に合わせる制御や、記録光用レンズ移動装置７を適宜制御することで記録光の焦点を記録層７１中の所定位置に合わせる制御を行っている。具体的には、図２（ａ）に示すように、制御装置９は、サーボ光焦点調整手段９１、記録位置選択手段９２、記憶装置９３および比較手段９４を備えて構成されている。なお、この制御装置９は、サーボ情報読取装置８から出力されてくるトラッキング情報に基づいて、公知のトラッキング制御も行っている。
【００３０】
サーボ光焦点調整手段９１は、サーボ情報読取装置８から出力されてくるフォーカス情報に基づいて、サーボ光の焦点と光記録媒体７０の反射面７２ａとのずれを判断し、このずれを補正するように対物レンズ移動装置４を制御して対物レンズ３を移動させる機能を有している。なお、このサーボ光焦点調整手段９１による焦点合わせの制御については、公知であるため、詳細な説明は省略する。
【００３１】
記録位置選択手段９２は、外部から入力されてくる記録位置情報に基づいて、１つの記録層７１中の深さ方向において予め設定した複数の記録位置のうちの１つを選択する機能を有している。ここで、記録位置は、反射面７２ａから所定距離離れた位置であり、本実施形態では、図２（ｂ）に示すように、反射面７２ａから距離αだけ離れた位置を第１記録位置７１ａとし、距離βだけ離れた位置を第２記録位置７１ｂとし、距離γだけ離れた位置を第３記録位置７１ｃとする。また、外部から入力されてくる記録位置情報としては、記録位置そのものの情報であってもよいし、記録位置に対応づけられた情報であってもよい。なお、記録位置に対応づけられた情報である場合には、各記録位置と各種情報とを対応づけたテーブルを用意し、このテーブルに基づいて、記録位置選択手段９２が、所定の情報から記録位置を選択する。そして、この記録位置選択手段９２は、選択した記録位置を比較手段９４に出力する。
【００３２】
図２（ａ）に示すように、記憶装置９３には、サーボ光の焦点位置から記録光の焦点位置までの距離（以下、焦点距離）の前回値が記憶されている。なお、本実施形態においては、この焦点距離の初期値として「α」が記憶されていることとする。ちなみに、実際のサーボ光の焦点位置と記録光の焦点位置を、初期値「α」とするには、例えば、反射面７２ａにサーボ光の焦点と記録光の焦点をともに集束させた状態で、記録光用レンズ移動装置７により記録光用レンズ６を「α」に対応した所定量だけ動かせばよい。これにより、サーボ光の焦点位置から記録光の焦点位置までの焦点距離を「α」とすることができる。また、この記憶装置９３には、図２（ｃ）に示すように、前記した各記録位置７１ａ〜７１ｃと、これに対応する反射面７２ａからの距離α〜γとの関係を示すテーブルが記憶されている。
【００３３】
比較手段９４は、サーボ光の焦点位置に対する記録光の焦点位置と、記録位置選択手段９２で選択した記録位置とを比較し、その比較結果に基づいて記録光用レンズ６を記録光用レンズ移動装置７で動かすことで、記録光の焦点位置を記録位置選択手段９２で選択した記録位置に調整する機能を有している。具体的に、比較手段９４は、サーボ光の焦点位置に対する記録光の焦点位置として、記憶装置９３から焦点距離を取得する。また、比較手段９４は、記録位置選択手段９２で選択した記録位置を取得すると、この記録位置に基づいて、記憶装置９３から記録位置に対応した距離情報を取得する。
【００３４】
また、比較手段９４は、焦点距離と距離情報との差を算出し、この差を記録光用レンズ６の移動量に換算する。そして、比較手段９４は、換算した記録光用レンズ６の移動量に基づいて、記録光用レンズ移動装置７を制御して、記録光用レンズ６を所定量だけ移動させる。なお、比較手段９４は、記録光用レンズ６を移動させた後、記録位置選択手段９２で選択した記録位置に対応する距離情報を、新たな焦点距離（前回値）として記憶装置９３に記憶させる。
【００３５】
次に、本実施形態に係る光情報記録装置１による光情報記録方法について説明する。なお、以下の説明において、サーボ光の焦点位置から記録光の焦点位置までの焦点距離は、初期値「α」であることとする。
【００３６】
図１に示すように、まず、制御装置９によって対物レンズ移動装置４を制御することで、対物レンズ３を光軸方向に動かして、サーボ光の焦点を光記録媒体７０の反射面７２ａに合わせる（フォーカス光焦点調整工程）。なお、このとき、サーボ光の焦点とともに記録光の焦点も一緒に移動するため、サーボ光の焦点位置から記録光の焦点位置までの焦点距離は、初期値「α」で維持される。これにより、光記録媒体７０の記録層７１中における第１記録位置７１ａに、情報が記録されることとなる。なお、情報の記録方法については、公知技術であるが、簡単に説明すると、光記録媒体７０を所定の回転軸を中心に回転させるとともに、所定の情報に基づいて記録用光源５を適宜明滅させつつ光記録媒体７０の径方向（平面方向）に移動させることで、所定の情報が第１記録位置７１ａに１ビットずつ記録される。ちなみに、このフォーカス光焦点調整工程は、記録の開始から終了まで常時行われる。
【００３７】
第１記録位置７１ａへの記録が完了した後は、図２（ａ）に示す記録位置選択手段９２に記録位置情報が出力される。そして、この記録位置情報を取得した記録位置選択手段９２は、記録位置情報に基づいて記録位置を選択し、この記録位置を比較手段９４に送る（記録位置選択工程）。そして、記録位置選択手段９２から比較手段９４に送られてきた記録位置が、例えば図２（ｂ）に示す第２記録位置７１ｂである場合には、比較手段９４は、この第２記録位置７１ｂと図２（ｃ）に示すテーブルとに基づいて、記憶装置９３から距離情報「β」を取得する。
【００３８】
また、比較手段９４は、記憶装置９３に予め記憶されている焦点距離「α」を取得し、この「α」と「β」との差を算出し、この差に基づいて記録光用レンズ移動装置７を制御して、記録光用レンズ６を所定量移動させる（記録光焦点調整工程）。なお、記録光用レンズ６の移動方向は、算出した値のプラス・マイナスの符号によって適宜決定される。このように記録光用レンズ６が移動することによって、光記録媒体７０の記録層７１中における記録光の焦点位置が第２記録位置７１ｂへと移動して、第２記録位置７１ｂに情報が記録されることとなる。その後は、前記したように記録用光源５の明滅と光記録媒体７０の回転とにより第２記録位置７１ｂへの記録が行われる。そして、この第２記録位置７１ｂへの記録が完了すると、今度は、記録位置選択手段９２で例えば第３記録位置７１ｃが選択され、この第３記録位置７１ｃへの記録が前記したように行われる。以上により、１つの記録層７１中に、深さ方向において複数の情報が記録されることとなる。
【００３９】
以上によれば、本実施形態において以下のような効果を得ることができる。
サーボ光の焦点位置に対して記録光の焦点位置を適宜調整するだけで、１つの記録層７１中の深さ方向において複数の情報を記録することが可能となるので、記憶容量の増大化を図ることができるとともに、層構成が簡易化されてコストを低くすることができる。
【００４０】
なお、本発明は前記実施形態に限定されることなく、以下に例示するように様々な形態で利用できる。
前記実施形態では、フォーカス基準面として、トラッキング用のサーボ層である反射層７２の反射面７２ａを採用したが、本発明はこれに限定されず、サーボ層とは別の反射面がある場合には、その反射面をフォーカス基準面として採用してもよい。
【００４１】
前記実施形態では、フォーカス基準決定用のレーザ光としてサーボ光を採用したが、本発明はこれに限定されず、例えばサーボ光とは別にフォーカス専用のレーザ光を出射させてもよい。
前記実施形態では、サーボ方法（トラッキング制御方法、フォーカス制御方法）として、四分割フォトダイオードやシリンドリカルレンズ１４を利用した方法を採用したが、本発明はこれに限定されず、どのようなサーボ方法であってもいい。
【００４２】
前記実施形態では、フォーカス用レンズとして対物レンズ３を採用したが、本発明はこれに限定されず、フォーカス用のレーザ光と記録光とがともに通過する光路上に配置されるレンズであればどのようなものであってもよい。また、記録光用レンズも同様に、記録光のみが通過する光路上に配置されるレンズであればどのようなものであってもよく、例えば前記実施形態におけるコリメートレンズ１２であってもよい。
前記実施形態では、記録光の焦点を移動させるために記録光用レンズ６を移動させたが、本発明はこれに限定されず、例えば記録用光源５を光軸方向に移動させてもよい。なお、この場合には、前記実施形態のような記録光用レンズ６は不要となる。
【００４３】
前記実施形態では、フォーカス基準面としての反射面７２ａにサーボ光の焦点を合わせたが、本発明はこれに限定されず、例えばフォーカス基準面から所定距離離れた所定位置に焦点を合わせるようにしてもよい。
【００４４】
前記実施形態では、フォーカス用光源としてのサーボ用光源２と記録用光源５の２つの光源を採用したが、本発明はこれに限定されず、フォーカス用光源および記録用光源を１つの光源で構成してもよい。例えば、図１に示した形態における記録用光源５およびコリメートレンズ１２を取り除く代わりに、図３に示すような３つのハーフミラー２１，２２，２３を設けた光情報記録装置１’を採用してもよい。具体的には、コリメートレンズ１０と第１ハーフミラー１１との間に、１つ目のハーフミラー２１を配置することで、サーボ用光源２から出射されるレーザ光の光路を、サーボ光の光路ＳＲと記録光の光路ＷＲとに分離させる。そして、分離された記録光の光路ＷＲを、２つのハーフミラー２２，２３を用いて、第１ハーフミラー１１に戻すことで、サーボ光の光路ＳＲに合流させる。なお、記録光の光路ＷＲの最下流側に配置されるハーフミラー２３と第１ハーフミラー１１との間には、記録光用レンズ６と第２ハーフミラー１３が前記実施形態と同様に配置され、第２ハーフミラー１３の下流側には、サーボ情報読取装置８やデータ読取装置１７等が前記実施形態と同様に配置されている。このような構造によれば、光源が１つで済むので、コストをより低減することができる。
【図面の簡単な説明】
【００４５】
【図１】本発明の一実施形態に係る光情報記録装置を示す構成図である。
【図２】制御装置の構成を示す構成図（ａ）と、記録層中の深さ方向における各記録位置を示す説明図（ｂ）と、記憶装置に記憶されたテーブルを示す図（ｃ）である。
【図３】本発明の他の実施形態に係る光情報記録装置を示す構成図である。
【符号の説明】
【００４６】
１      光情報記録装置
２      サーボ用光源
３      対物レンズ
４      対物レンズ移動装置
５      記録用光源
６      記録光用レンズ
７      記録光用レンズ移動装置
８      サーボ情報読取装置
９      制御装置
１７    データ読取装置
７０    光記録媒体
７１    記録層
７１ａ  第１記録位置
７１ｂ  第２記録位置
７１ｃ  第３記録位置
７２    反射層
７２ａ  反射面
９１    サーボ光焦点調整手段
９２    記録位置選択手段
９３    記憶装置
９４    比較手段
【図１】
2008226342.tif 000003
【図２】
2008226342.tif 000004
【図３】
2008226342.tif 000005